【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
少なくとも１つのベース部材及び少なくとも１つの照明装置を有する照明システムであって、前記照明装置は、前記ベース部材によって少なくとも１つの支持構造に機能的に接続されることができ、前記ベース部材は、少なくとも１つの第１の接続部材を有しており、前記照明装置は、前記第１の接続部材と機械的に接続されることができる少なくとも１つの第２の接続部材を有している、照明システムにおいて、引力の磁力が前記第１の接続部材と前記第２の接続部材との間に生成されることができ、
前記照明装置が、少なくとも１つの発光部材であって、好ましくは、少なくとも１つの第１の接合手段によって前記第２の接続部材に接続されている及び／若しくは前記第２の接続部材に対して移動されることができる発光部材を有する、並びに／又は前記照明装置が、少なくとも２つの、特に、複数の発光部材であって、少なくとも１つの第２の接合手段によって一緒に接続されている又は互いに対して移動されることができる発光部材を有し、前記第１の接合手段及び／若しくは前記第２の接合手段は、特に、自動ロック式である及び／又は無断階に移動可能であると共に、少なくとも１つの摺動接合、少なくとも１つの回転接合、少なくとも１つのネジ接合、少なくとも１つの摺動及び回転接合、少なくとも１つの自在継手及び／若しくは少なくとも１つのヒンジを有しており、並びに／又は前記発光部材は、少なくとも１つの発光ダイオード（ＬＥＤ）及び／若しくは少なくとも１つの有機発光ダイオード（ＯＬＥＤ）を有することを特徴とする、照明システム。
【請求項２】
前記第１の接続部材及び前記第２の接続部材は、機械的な接続、特に摩擦及び／若しくは明確に相互係合されている接続、及び／若しくは電気的接続が、前記ベース部材と前記照明装置との間でなされることを可能にするために、機能的に接続されることができることを特徴とする、請求項１に記載の照明システム。
【請求項３】
前記ベース部材が第１のエネルギ源を有すること及び／又は前記第１のベース部材が少なくとも１つの第２のエネルギ源に電気的に接続されることができ、前記ベース部材は、好ましくは、少なくとも１つの第３の接続部材及び前記第２のエネルギ源を有し、及び／又は少なくとも１つの電気的リード部材は、少なくとも１つの第４の接続部材を有し、引力の磁力は、特に、前記第３の接続部材と前記第４の接続部材との間に生成されることができ、及び／又は前記第１のエネルギ源及び／又は前記第２のエネルギ源は、少なくとも１つの非再充電可能電池、少なくとも１つの蓄電池及び／又は電気供給ネットワークへの接続を有することを特徴とする、請求項２に記載の照明システム。
【請求項４】
前記第１の接続部材、前記第２の接続部材、前記第３の接続部材及び／又は前記第４の接続部材が、少なくとも１つの磁石を有し、前記磁石は、特に、少なくとも１つの永久磁石及び／若しくは少なくとも１つの電磁的手段を有し、引力の磁力が、前記磁石によって、特に、前記第１の接続部材が少なくとも１つの第１の磁石を有し、前記第２の接続部材が少なくとも１つの第２の磁石を有し、前記第３の接続部材が少なくとも１つの第３の磁石を有し並びに／又は前記第４の接続部材が少なくとも１つの第４の磁石を有して、前記第１の接続部材と前記第２の接続部材との間に及び／若しくは前記第３の接続部材と前記第４の接続部材との間に生成されることができることを特徴とする、請求項１乃至３の何れか一項に記載の照明システム。
【請求項５】
前記第１の接続部材が、少なくとも１つ又は複数の領域において、前記第２の磁石によって生成される磁場によって引きつけられることができる少なくとも１つの第１の材料を有し、前記第２の接続部材が、少なくとも１つ又は複数の領域において、前記第１の磁石によって生成される磁場によって引きつけられることができる少なくとも１つの第２の材料を有し、前記第３の接続部材が、少なくとも１つ又は複数の領域において、前記第４の磁石によって生成される磁場によって引きつけられることができる少なくとも１つの第３の材料を有し、前記第４の接続部材が、少なくとも１つ又は複数の領域において、前記第３の磁石によって生成される磁場によって引きつけられることができる少なくとも１つの第４の材料を有し、及び／又は前記第１の接続部材が前記第１の磁石を有し、前記第２の接続部材が前記第２の磁石を有し、及び／又は前記第３の接続部材が前記第３の磁石を有し、前記第４の接続部材が前記第４の磁石を有することを特徴とする、請求項４に記載の照明システム。
【請求項６】
第１の接続部材及び／若しくは前記第３の接続部材が、一方において、少なくとも１つの第１のコンタクト部材を有し、前記第２の接続部材及び／若しくは前記第４の接続部材が、他方において、前記第１のコンタクト部材と電気的に接続されることができる少なくとも１つの第２のコンタクト部材を有し、前記第１のコンタクト部材及び前記第２のコンタクト部材は、好ましくは、このように設計され、特に、このように前記第１の接続部材、前記第２の接続部材、前記第３の接続部材及び／又は前記第４の接続部材の表面上に配されており、一方での前記第１の接続部材と他方での前記第２の接続部材との間、及び／又は一方での前記第３の接続部材と他方での前記第４の接続部材との間の相対的な位置の少なくとも２つ、好ましくは複数において、電気的接続が、一方での前記第１の接続部材と他方での前記第２の接続部材との間、及び／又は、一方での前記第３の接続部材と他方での前記第４の接続部材との間でなされることができることを特徴とする、請求項２乃至５の何れか一項に記載の照明システム。
【請求項７】
前記第１の接続部材及び／若しくは前記第３の接続部材が、少なくとも１つの第１のコンタクト表面を有し、前記第２の接続部材及び／若しくは前記第４の接続部材が、前記第１のコンタクト表面と相補的な第２のコンタクト表面を有し、引力の磁力が、特に、前記第１のコンタクト表面と前記第２のコンタクト表面との間で生成されることができる、並びに／又は前記第１のコンタクト表面が、少なくとも１つの第１の対称中心、少なくとも１つの第１の対称軸及び／若しくは少なくとも１つの第１の対称平面を有する、並びに／又は前記第２のコンタクト表面が、少なくとも１つの第２の対称中心、少なくとも１つの第２の対称軸及び／若しくは少なくとも１つの第２の対称平面を有することを特徴とする、請求項１乃至６の何れか一項に記載の照明システム。
【請求項８】
前記第１のコンタクト部材と、特に、前記第１のコンタクト部材が有する少なくとも１つの、好ましくは複数の第１のコンタクト手段とが、特に、第１の対称点、第１の対称軸及び／若しくは第１の対称平面に関して、対称である、特に、回転対称である、鏡像対称である及び／若しくは点対称である形態のものであること、
前記第２のコンタクト部材と、特に、前記第２のコンタクト部材が有する少なくとも１つの、好ましくは複数の第２のコンタクト手段とが、特に、第２の対称点、第２の対称軸及び／若しくは第２の対称平面に関して対称である、特に、回転対称である、鏡像対称である及び／若しくは点対称である形態のものであること、並びに／又は
前記第１の対称平面及び前記第２の対称平面、前記第１の対称軸及び前記第２の対称軸、及び／若しくは前記第１の対称点及び前記第２の対称点は、少なくとも前記第１の接続部材が前記引力の磁力によって第２の接続部材に接続される場合に、一致すること
を特徴とする、請求項７に記載の照明システム。
【請求項９】
前記ベース部材が、特に、前記ベース部材の異なる表面上に配される複数の第１の接続部材を有し、特に、前記ベース部材が、前記支持構造に隣接する第１の表面を有し、前記第１の表面とは異なる少なくとも２つの第２の表面が少なくとも１つの第１の接続部材を有し、前記第１の表面及び前記第２の表面は、好ましくは、特に前記ベース部材によって形成される通常の多面体、立方形、立方体、ピラミッド及び／又は斜方形の表面によって形成されていることを特徴とする、請求項１乃至８の何れか一項に記載の照明システム。
【請求項１０】
前記支持構造が、少なくとも１つの部屋の壁、少なくとも１つの部屋の天井、並びに／又はテーブル及び／若しくは椅子のような少なくとも１つの家具を含んでおり、前記ベース部材が、少なくとも１つのケーブルシステムに接続されることができる少なくとも１つの支持部材、少なくとも１つの自由スイング手段、少なくとも１つのランプの足及び／又は少なくとも１つの壁取り付けを有することを特徴とする、請求項１乃至９の何れか一項に記載の照明システム。
【請求項１１】
前記発光部材、前記第１の接続部材、前記第２の接続部材及び／又は前記ベース部材が有する少なくとも１つの制御及び／又は調整手段によって特徴付けられ、当該照明装置の少なくとも１つの動作パラメータ、特に、発光スペクトル、放出の少なくとも１つの輝度及び／若しくは照明及び／若しくは動作の少なくとも１つの期間が、前記制御及び／若しくは調整手段によって制御及び／若しくは調整されることができ、前記照明装置が、好ましくは、前記制御及び／若しくは調整手段によってスイッチをオン・オフされる及び／若しくは調光されることができる、請求項１乃至１０の何れか一項に記載の照明システム。
【請求項１２】
前記第３の接続部材は少なくとも１つの出力ストリップを有する、前記第４の接続部材は前記出力ストリップ上にプラグ接続されることができる少なくとも１つのプラグ部材を有する、前記第３の接続部材は前記第４の接続部材が有する少なくとも１つの雄型の接続部材に対する少なくとも１つの雌型の受け口を有する、及び／又は前記第４の接続部材は、前記第３の接続部材が有する少なくとも１つの雄型の接続部材に対する少なくとも１つの雌型の受け口を有することを特徴とする、請求項２乃至１１の何れか一項に記載の照明システム。
【請求項１３】
請求項１乃至１２の何れか一項に記載の照明システムにおいて使用されることができることを特徴とするベース部材。
【請求項１４】
請求項１乃至１２の何れか一項に記載の照明システムにおいて使用されることができることを特徴とする照明装置。